(57)【要約】      （修正有）【課題】熱放射を遮断することができ、且つ一定量の水だけで炎や煙などを遮断して避難通路を確保することができる防炎カーテン及び防炎カーテン装置の提供。【解決手段】間に内部空間１１６を画成するように互いに間を空けて配置されている上面層１１３と下面層１１４とを有すると共に、内部空間１１６に連通する進水口１１７が形成されているカーテン本体１１と、吸水性のある素材により作成された吸水手段１２１を有し、カーテン本体１１の内部空間１１６内に、取替え可能に配置されている複数の吸水ユニット１２と、を備えている。【選択図】図３
0003203191.tif 000002
【実用新案登録請求の範囲】
【請求項１】
間に内部空間を画成するように互いに間を空けて配置されている上面層と下面層とを有すると共に、前記内部空間に連通する進水口が形成されているカーテン本体と、
吸水性のある素材により作成された吸水手段を有し、前記カーテン本体の前記内部空間内に配置されている複数の吸水ユニットと、を備えている防炎カーテン。
【請求項２】
前記吸水ユニットは、可撓性のある素材により作成されて前記吸水手段を包むカバー手段を更に有していることを特徴とする請求項１に記載の防炎カーテン。
【請求項３】
水案内手段を更に備え、前記水案内手段は、
前記進水口と連通して前記内部空間内に配置されているパイプ状の案内管と、
前記水案内手段に取付けられている複数の第１の接続部と、
各前記吸水ユニットに取付けられ、各前記第１の接続部と取り外し可能に接続することができる第２の接続部と、を有し、
前記進水口から水を受け入れて前記水案内手段の案内管と各前記第１の接続部及び前記第２の接続部とにより受け入れた水を各前記吸水ユニットに案内して各前記吸水ユニットが有する前記吸水手段に吸収させることができることを特徴とする請求項２に記載の防炎カーテン。
【請求項４】
前記水案内手段は、各前記吸水ユニットに供給された水の前記案内管への逆流を阻止する単方向バルブを備えていることを特徴とする請求項３に記載の防炎カーテン。
【請求項５】
前記カーテン本体には、前記進水口と異なる取替え口が更に形成され、前記取替え口を経由して外部から各前記吸水ユニットにアクセスして取り替えることができるようになっており、
また、前記取替え口には該取替え口を閉じることができる封止手段が取付けられていることを特徴とする請求項１〜請求項４のいずれか一項に記載の防炎カーテン。
【請求項６】
前記上面層と前記下面層とは、それぞれ不燃材料を含むように作成されていることを特徴とする請求項１〜請求項５のいずれか一項に記載の防炎カーテン。
【請求項７】
前記上面層及び前記下面層は、それぞれステンレス材料からなるステンレスメッシュ層がその内部に積層されていることを特徴とする請求項６に記載の防炎カーテン。
【請求項８】
前記上面層及び前記下面層は、それぞれ前記ステンレスメッシュ層の前記内部空間に面しない側にシリカゲル層がその内部に積層されていることを特徴とする請求項７に記載の防炎カーテン。
【請求項９】
前記上面層及び前記下面層のいずれか１つの内部に積層されている前記シリカゲル層に、前記内部空間内にある水が経由して滲みだすことができる連通孔が形成されていることを特徴とする請求項８に記載の防炎カーテン。
【請求項１０】
前記上面層及び前記下面層のいずれか１つの内部に、前記シリカゲル層と前記ステンレスメッシュ層との間に介在して前記シリカゲル層により覆われるサポートベルトが更に配置されており、
また、前記連通孔は、前記シリカゲル層における前記サポートベルトに投影できる位置に形成されていることを特徴とする請求項９に記載の防炎カーテン。
【請求項１１】
前記連通孔には、融点の低い金属材料が充填されており、前記連通孔は該融点の低い金属材料が溶融して初めて開口するようになっていることを特徴とする請求項１０に記載の防炎カーテン。
【請求項１２】
前記上面層と前記下面層との間に、前記内部空間を、各前記吸水ユニットをそれぞれ収容する複数の収容エリアに仕切ることができる仕切り手段が配置されていることを特徴とする請求項１〜請求項１１のいずれか一項に記載の防炎カーテン。
【請求項１３】
前記吸水手段を作成する前記吸水性のある素材として、吸収性ポリマーを使用し、また、各前記吸水ユニットは、前記吸水手段を包む水通過性カバーを更に有していることを特徴とする請求項１に記載の防炎カーテン。
【請求項１４】
前記上面層と下面層とは、それぞれ防炎シートにより覆われていることを特徴とする請求項１〜請求項１３のいずれか一項に記載の防炎カーテン。
【請求項１５】
前記防炎シートは、不燃材料により作成された織物層であることを特徴とする請求項１４に記載の防炎カーテン。
【請求項１６】
請求項１〜請求項１５のいずれか一項に記載の防炎カーテンと、
前記防炎カーテンが有する前記進水口に対して水を供給することができる給水手段と、を備えている防炎カーテン装置。
【請求項１７】
上から吊り下げられていて水が供給されていない前記防炎カーテンが有する前記カーテン本体の一端部と、該一端部の反対側にある他端部とが互いに接近するようにロール状に巻かれている収納状態で、前記防炎カーテンを保持することができるベルト状のサポータを有する保持手段を更に備え、
前記給水手段により水が前記防炎カーテンに供給されると、前記防炎カーテンが備えた各前記吸水ユニットの前記吸水手段が水を吸収して膨脹することにより、前記防炎カーテンが有する前記一端部と前記他端部とが互いに離間すると共に、前記上面層と前記下面層とがそれぞれ平面に展開される展開状態になって前記保持手段が有する前記サポータから前記防炎カーテンが離脱することができることを特徴とする請求項１６に記載の防炎カーテン装置。
【請求項１８】
前記防炎カーテンにおける前記内部空間は、上下に並ぶ複数の収容エリアに仕切られており、
前記保持手段は、前記防炎カーテンにおける各前記収容エリアの上端に取付けられていると共に、前記サポータに固定されている支持ブロックを更に備えていることを特徴とする請求項１７に記載の防炎カーテン装置。
【考案の詳細な説明】
【技術分野】
【０００１】
本考案は、防炎カーテン及び防炎カーテン装置に関し、特に建物内で火災が発生した際に、吸水性のある素材に水を吸収させることにより、煙の拡散や延焼を防止して階段等の避難通路を確保することができる防炎カーテン及び防炎カーテン装置に関する。
【背景技術】
【０００２】
建物等の内部で火災が発生した際、避難通路を確保することが最も重要視されている。従来では、避難通路の確保に気体によって形成されるエアカーテンや、噴霧ノズルから噴出される水粒子から形成されるウォーターミストカーテンなどが用いられている。
【０００３】
しかし、エアカーテンもウォーターミストカーテンも固形でないため、炎や煙を遮断することが出来ても、熱放射を遮断する効果に乏しいという欠点がある。
【０００４】
また、エアカーテンもウォーターミストカーテンも気体や水を供給し続ける必要があり、気体や水の供給源が例えば焼失するなどして破壊されると作動しなくなるという欠点もある。
【考案の概要】
【考案が解決しようとする課題】
【０００５】
上記問題点に鑑みて、本考案は熱放射を遮断することができ、且つ一定量の水だけで炎や煙などを遮断して避難通路を確保することができる防炎カーテン及び防炎カーテン装置の提供を目的とする。
【課題を解決するための手段】
【０００６】
上記目的を達成する手段として、本考案は、間に内部空間を画成するように互いに間を空けて配置されている上面層と下面層とを有すると共に、前記内部空間に連通する進水口が形成されているカーテン本体と、吸水性のある素材により作成された吸水手段を有し、前記カーテン本体の前記内部空間内に配置されている複数の吸水ユニットと、を備えている防炎カーテンを提供する。
【０００７】
また、本考案は前記防炎カーテンと、前記防炎カーテンが有する前記進水口に対して水を供給することができる給水手段と、を備えている防炎カーテン装置をも提供する。
【考案の効果】
【０００８】
上記構成によれば、本考案の防炎カーテン及び防炎カーテン装置は、気体や水を供給し続ける必要がなく、一定量の水だけで炎や煙、そして熱放射などを遮断して避難通路を確保することができる。
【図面の簡単な説明】
【０００９】
【図１】本考案の防炎カーテン装置の第１の実施形態の収納状態が示されている模式図である。
【図２】本考案の防炎カーテン装置の第１の実施形態に用いられる防炎カーテンの収納状態が示されている側面図である。
【図３】本考案の防炎カーテン装置の第１の実施形態に用いられる防炎カーテンの一部切り出し説明図である。
【図４】図３は本考案の防炎カーテン装置の第１の実施形態に用いられる防炎カーテンにおける水案内手段の設置方法が示されている説明図である。
【図５】本考案の防炎カーテン装置の第１の実施形態の展開状態が示されている模式図である。
【図６】本考案の防炎カーテン装置の第２の実施形態の構成が示されている説明図である。
【図７】本考案の防炎カーテン装置の第２の実施形態における吸水ユニットの構成が示されている説明図である。
【図８】本考案の防炎カーテン装置の第２の実施形態に用いられる防炎カーテンの構成が示されている断面図である。
【図９】本考案の防炎カーテン装置の第２の実施形態に用いられる防炎カーテンに水が注入された状態での構成が示されている断面図である。
【図１０】本考案の防炎カーテン装置の第２の実施形態の変化例における防炎カーテンの構成が示されている断面図である。
【考案を実施するための形態】
【００１０】
以下は各図面を参照して本考案の防炎カーテン及び防炎カーテン装置の各好ましい実施形態について詳しく説明する。
【００１１】
図１〜図５に本考案の防炎カーテン装置の第１の実施形態が示されている。
【００１２】
図１は本考案の防炎カーテン装置の第１の実施形態の収納状態が示されている模式図であり、図１に示されているように、本考案の防炎カーテン装置の第１の実施形態は、防炎カーテン１と、防炎カーテン１に対して水を供給することができる給水手段２と、図示のように、ロール状に巻かれている状態での防炎カーテン１を保持する保持手段３とを備えている。防炎カーテン１にはその内部空間と連通する進水口１１７が形成されており、給水手段２は水源（図示せず）と繋がっているポンプ２１と送水管２２とを有し、送水管２２を経由して水源からの水を進水口１１７に供給することができる。
【００１３】
図２は本考案の防炎カーテン装置の第１の実施形態に用いられる防炎カーテンの収納状態が示されている側面図である。図１及び図２に示されているように、保持手段３はベルト状のサポータ３０を有しており、上から吊り下げられていて水が供給されずにロール状に巻かれた収納状態になっている防炎カーテン１を、サポータ３０で巻くようにして下から保持することができる。
【００１４】
なお、この収納状態において、防炎カーテン１の一端部（上端部）１１１は保持手段３に固定され、該一端部１１１の反対側にある他端部１１２はロールの内部に巻かれ、比較的一端部１１１に接近するロールの中心に配置されている。
【００１５】
図３は本考案の防炎カーテン装置の第１の実施形態に用いられる防炎カーテンの一部切り出し説明図であり、図４は本考案の防炎カーテン装置の第１の実施形態に用いられる防炎カーテンにおける水案内手段の設置方法が示されている説明図であり、また、図５は本考案の防炎カーテン装置の第１の実施形態の展開状態が示されている模式図である。図３に示されているように、本考案の防炎カーテン装置の第１の実施形態に用いられる防炎カーテン１は、間に内部空間１１６を画成するように互いに間を空けて配置されている上面層１１３と下面層１１４とを有すると共に、内部空間１１６に連通する進水口１１７が形成されているカーテン本体１１と、吸水性のある素材により作成された吸水手段１２１を有し、カーテン本体１１の内部空間１１６内に取替え可能に配置されている複数の吸水ユニット１２と、を備えている。
【００１６】
カーテン本体１１は、上面層１１３と下面層１１４とを含んだ全体が不燃材料を含むように作成されている。
【００１７】
更に、上面層１１３と下面層１１４との間に、内部空間１１６を各前記吸水ユニット１２をそれぞれ収容する複数の収容エリア１１９に仕切ることができる仕切り手段１１５が配置されている。
【００１８】
この第１の実施形態において、仕切り手段１１５は、両端が上面層１１３と下面層１１４とにそれぞれ固定されていると共に、内部空間１１６を横切るように（図３における矢印Ｂで示される方向に沿って）延伸する複数の仕切り板１１８を有しており、そして各仕切り板１１８は、それらの延伸方向と直交する方向（図３における矢印Ａで示される方向）において互いにジグザグ状に繋がっている。従って、仕切り手段１１５が有する複数の仕切り板１１８により仕切られる複数の収容エリア１１９は、各仕切り板１１８の配列方向（図３における矢印Ａで示される方向）において千鳥配列になっている。
【００１９】
吸水ユニット１２は水を吸収して膨脹する例えば吸収性ポリマーなど吸水性のある素材により作成された吸水手段１２１と、吸水手段１２１を包む紙素材からなる水通過性カバー１２２とを有し、各収容エリア１１９に一つまたは複数配置されている。
【００２０】
更に、図３及び図４に示されているように、この第１の実施形態において、防炎カーテン１は進水口１１７と連通して内部空間１１６内にて延伸して各収容エリア１１９に開口するように配置されているパイプ状の案内管１３０を有する水案内手段１３を備えている。
【００２１】
この構成により、本考案の防炎カーテン装置は、例えば窓やドア枠の隣など、避難通路を確保できる要所に、図１に示される状態で設置されることにより、例えば火災が発生した際、火災により発生する熱や煙を検知するセンサーなどから火災が発生したとの信号を受けると、給水手段２のポンプ２１が起動されて水を水源から送水管２２を経由して防炎カーテン１に供給する。
【００２２】
給水手段２により進水口１１７に供給される水は、水案内手段１３の案内管１３０によって各収容エリア１１９に注入され、そして各収容エリア１１９に注入された水は各吸水ユニット１２の水通過性カバー１２２を通過して吸水手段１２１に吸収される。
【００２３】
各吸水ユニット１２の吸水手段１２１が水を吸収して膨脹すると、各収容エリア１１９及びカーテン本体１１の内部空間１１６全体が吸水手段１２１の膨張に応じて膨らみ上がるようになり、防炎カーテン１は、図１に示されるロール状に巻かれている収納状態から、図５に示されるように、保持手段３に固定されている一端部（上端部）１１１が上側にある保持手段３に固定されたまま、該一端部１１１の反対側にある他端部１１２が、カーテン本体１１の内部空間１１６の膨脹により保持手段３のサポータ３０から離脱して一端部１１１から上記収納状態と比べて比較的離れた位置まで垂れ下がるようになり、カーテン本体１１の上面層１１３と下面層１１４とがそれぞれ平面に展開された展開状態になる。
【００２４】
展開状態になった防炎カーテン１は、それ自身は固形なので、炎や煙、そして熱放射などを遮断することができると共に、吸水ユニット１２の吸水手段１２１によって吸収される水で一定量の熱を吸収することもできるので、避難通路を確保することができる。また、防炎カーテン１はウォーターミストカーテンなどのように水を供給し続ける必要がなく、その内部空間１１６内に配置される吸水ユニット１２が膨脹して防炎カーテン１が展開するまでの一定量の水のみが必要であるので、たとえ水の供給源またはポンプ２１や送水管２２が防炎カーテン１の展開後に火災によって破壊されても、遮断効果を発揮し続けることができる。
【００２５】
次いで、図６〜図９を用いて本考案の防炎カーテン装置の第２の実施形態について説明する。この第２の実施形態において、給水手段２の構成は第１の実施形態と同一であるので、その詳しい説明を省略し、第１の実施形態と構成が異なる防炎カーテン１及び保持手段３の相違点を重点的に説明する。なお、この第２の実施形態に関する説明において、第１の実施形態と構成または目的・効果が類似な部材に対しては、同一の符号が付けられている。
【００２６】
図６は本考案の防炎カーテン装置の第２の実施形態の構成が示されている説明図である。図６に示されているように、本考案の防炎カーテン装置の第２の実施形態が有する防炎カーテン１は、第１の実施形態と同じく保持手段３に固定されている一端部１１１と、該一端部１１１の反対側にあって図６に示されている展開状態では吊り下げられる他端部１１２とを有すると共に、間に内部空間１１６を画成するように互いに間を空けて配置されている上面層１１３と後述する図８に示す下面層１１４とを有し、更に、内部空間１１６に連通する進水口１１７（図示せず）が形成されている。一方、第２の実施形態において、内部空間１１６は展開状態において上下に並ぶ複数の収容エリア１１０に仕切られている。なお、この第２の実施形態には、内部空間１１６を仕切るための仕切り手段がなく、上面層１１３と下面層１１４との部分的な接続によって内部空間１１６を複数の収容エリア１１０に仕切る構成になっている。
【００２７】
図７は本考案の防炎カーテン装置の第２の実施形態における吸水ユニット１２の構成が示されている説明図である。図示のように、この第２の実施形態において、吸水ユニット１２は、可撓性のある素材により作成されて吸水手段１２１を包むカバー手段１２３を更に有している。この第２の実施形態におけるカバー手段１２３は水が通過できる性能がなく、水を吸収して膨脹する吸水手段１２１によって破れることができるように作成されている。
【００２８】
更に、図６及び図７に示されているように、こ第２の実施形態における防炎カーテン１が有する水案内手段１３は、パイプ状の案内管１３０の各開口にそれぞれ接続されている複数の第１の接続部１３１と、各吸水ユニット１２のカバー手段１２３に取付けられ、且つ各第１の接続部１３１と取り外し可能に接続することができる第２の接続部１３２と、第２の接続部１３２の吸水ユニット１２に取付けられていると共に、水案内手段１３により各吸水ユニット１２に供給された水の案内管１３０への逆流を阻止する単方向バルブ１３３と、を備えている。
【００２９】
即ち、給水手段２により進水口１１７に供給された水は、水案内手段１３により各吸水ユニット１２のカバー手段１２３内に直接に注入されて吸水手段１２１により吸収されることができる。そして水を吸収して膨脹した吸水手段１２１によってカバー手段１２３が破れると、給水手段２により供給された水で各収容エリア１１０を充満することができる構成になっている。そして、単方向バルブ１３３の設置により、水案内手段１３により各吸水ユニット１２に供給された水の案内管１３０への逆流を阻止することができる。
【００３０】
また、図６に示されているように、この実施形態において、防炎カーテン本体１１には、進水口１１７と異なる取替え口１１０ａが側面端（図中の左端または右端）で上面層１１３と下面層１１４の間の位置に形成されている。これら取替え口１１０ａを経由して外部から各吸水ユニット１２にアクセスして、例えば作業者が取替え口１１０ａに手を入れて各吸水ユニット１２をつかみ出すように、各吸水ユニット１２を取り替えることができる。また、これらの取替え口１１０ａには、該当の取替え口１１０ａを閉じることができる封止手段１４が取付けられている。この実施形態において、封止手段１４としては上面層１１３と下面層１１４とにそれぞれ形成されて互いに当接して水が漏れ出すことを防止できる当接部（図示せず）と、当接部（図示せず）より外側の位置において上面層１１３と下面層１１４とにそれぞれ固定されている金属プレート１４１と、上面層１１３と下面層１１４とにそれぞれ固定されている金属プレート１４１を一斉に挿通し固定することができるねじ１４２とを有するように構成されているが、封止手段１４としては取替え口１１０ａを水密的に閉じることができれば、他の構成を用いても構わない。
【００３１】
図８及び図９は本考案の防炎カーテン装置の第２の実施形態に用いられる防炎カーテンの構成が示されている断面図であり、図８に水が注入されていない状態が示され、図９に水が注入された状態が示されている。
【００３２】
図６及び図８、図９に示されているように、本考案の防炎カーテン装置の第２の実施形態に用いられる防炎カーテンの上面層１１３と下面層１１４は、第１の実施形態と同じように不燃材料を含むように作成されている上、その内部にステンレス材料からなるステンレスメッシュ層１１３１、１１４１と、ステンレスメッシュ層１１３１、１１４１の内部空間１１６に面しない側（外側）に積層されているシリカゲル層１１３２、１１４２と、シリカゲル層１１３２、１１４２とステンレスメッシュ層１１３１、１１４１との間に介在してシリカゲル層１１３２、１１４２により覆われるサポートベルト１１３３、１１４３が積層されている。
【００３３】
図示のように、ステンレスメッシュ層１１３１、１１４１及びシリカゲル層１１３２、１１４２は、上面層１１３及び下面層１１４内に全面的に積層されているが、サポートベルト１１３３、１１４３は上面層１１３及び下面層１１４内において構造的に強化すべき箇所、例えば図６に示されているように左右の端部及び中央において重点的に配置されている。
【００３４】
更に、シリカゲル層１１３２、１１４２には、内部空間１１６内にある水が経由して滲みだすことができる連通孔１１３４、１１４４が形成されている。連通孔１１３４、１１４４は、サポートベルト１１３３、１１４３に投影できる位置に形成されている。なお、この実施形態において連通孔１１３４、１１４４には融点の低い金属材料（図示せず）が充填されており、連通孔１１３４、１１４４は該融点の低い金属材料が溶融して初めて開口するようになっている。
【００３５】
ちなみに、この第２の実施形態において、上記ステンレスメッシュ層１１３１、１１４１、シリカゲル層１１３２、１１４２、サポートベルト１１３３、１１４３などからなる積層構造は防炎カーテンの上面層１１３及び下面層１１４の両者に設けられているが、上面層１１３と下面層１１４とのいずれか１つのみに設けることも可能である。
【００３６】
図６及び図８、図９に示されているように、本考案の防炎カーテン装置の第２の実施形態における保持手段３は、防炎カーテン１を保持するサポータとして金属ワイヤ４１が用いられている。金属ワイヤ４１は防炎カーテン１の一端部１１１側から上面層１１３と下面層１１４との間にある内部空間１１６内に延伸し、そして防炎カーテン１における各収容エリア１１０の上端に取付けられている支持ブロック４２に固定されている。
【００３７】
また、図１０に本考案の防炎カーテン装置の第２の実施形態の変化例が示されており、図示されているように、この変化例において、防炎カーテン１の防炎カーテン本体１１の上面層１１３と下面層１１４とは、それぞれ防炎シート１５により覆われている。そしてこの変化例において、防炎シート１５としては不燃材料により作成された織物層である。
【００３８】
この構成により、本考案の防炎カーテン装置の第２の実施形態は、第１の実施形態と同じく、例えば火災が発生した際、火災により発生する熱や煙を検知するセンサーなどから火災が発生したとの信号を受けると、給水手段２より水の供給を受けることができる。
【００３９】
給水手段２により進水口１１７に供給された水は、水案内手段１３の案内管１３０及び各第１の接続部１３１及び各第２の接続部１３２によって各吸水ユニット１２のカバー手段１２３内に注入されてカバー手段１２３内にある吸水手段１２１に吸収される。
【００４０】
各吸水ユニット１２の吸水手段１２１が水を吸収して膨脹すると、やがてカバー手段１２３が破れて各収容エリア１１０内の空間が膨脹した吸水手段１２１によって充満されるようになり、図８に示される水が注入されていない状態から、図９に示される水が注入された状態となる。そして上面層１１３及び下面層１１４内のシリカゲル層１１３２、１１４２に形成された連通孔１１３４、１１４４に充填されている融点の低い金属材料が火災の熱によって溶融すると、連通孔１１３４、１１４４が開口するようになって各収容エリア１１０内にある水が連通孔１１３４、１１４４を経由して滲み出して上面層１１３や下面層１１４内の空間に入ることができる。
【００４１】
即ち、本考案の防炎カーテン装置の第２の実施形態は、第１の実施形態と同じように、炎や煙、そして熱放射などを遮断することができると共に、一定量の水のみが必要で、防炎カーテン１が展開した後でポンプ２１や送水管２２が火災によって破壊されても、遮断効果を発揮し続けることができる。
【００４２】
更に、この第２の実施形態において上面層１１３及び下面層１１４はステンレスメッシュ層１１３１、１１４１、シリカゲル層１１３２、１１４２、サポートベルト１１３３、１１４３などからなる積層構造が設けられているので、遮断効果が強化される上、上面層１１３及び下面層１１４自体の構造的強度も高められている。
【００４３】
また、保持手段３に上面層１１３と下面層１１４との間にある内部空間１１６内に延伸する金属ワイヤ４１と、防炎カーテン１に取付けられていると共に金属ワイヤ４１に固定されている支持ブロック４２とが備わっていることにより、火災の中においても保持手段３はより確実に防炎カーテン１を保持することができ、遮断効果を発揮する信頼性を高めることができる。
【００４４】
以上、本考案の好ましい実施形態を説明したが、本考案はこれに限定されるものではなく、その要旨を逸脱しない範囲で種々変更可能である。
【産業上の利用可能性】
【００４５】
上記構成によれば、本考案は、気体や水を供給し続ける必要がなく、一定量の水だけで炎や煙、そして熱放射などを遮断して避難通路を確保することができる防炎カーテン及び防炎カーテン装置を提供することができ、建物の窓やドア枠の隣など、避難通路を確保できる要所に設置されることに適している。
【符号の説明】
【００４６】
１  防炎カーテン
１１  カーテン本体
１１０  収容エリア
１１０ａ  取替え口
１１１  一端部
１１２  他端部
１１３  上面層
１１３１、１１４１  ステンレスメッシュ層
１１３２、１１４２  シリカゲル層
１１３３、１１４３  サポートベルト
１１３４、１１４４  連通孔
１１４  下面層
１１５  仕切り手段
１１６  内部空間
１１７  進水口
１１８  仕切り板
１１９  収容エリア
１２  吸水ユニット
１２１  吸水手段
１２２  水通過性カバー
１２３  カバー手段
１３  水案内手段
１３０  案内管
１３１  第１の接続部
１３２  第２の接続部
１３３  単方向バルブ
１４  封止手段
１４１  金属プレート
１４２  ねじ
１５  防炎シート
２  給水手段
２１  ポンプ
２２  送水管
３  保持手段
３０  サポータ
４１  金属ワイヤ
４２  支持ブロック
【図１】
0003203191.tif 000003
【図２】
0003203191.tif 000004
【図３】
0003203191.tif 000005
【図４】
0003203191.tif 000006
【図５】
0003203191.tif 000007
【図６】
0003203191.tif 000008
【図７】
0003203191.tif 000009
【図８】
0003203191.tif 000010
【図９】
0003203191.tif 000011
【図１０】
0003203191.tif 000012